(57)【特許請求の範囲】
【請求項１】
風量を変更可能な送風機を備え、加熱調理器での調理物温度によって前記送風機の風量を変更するレンジフードであって、前記加熱調理器の上面における前記調理物温度を測定する調理物温度測定手段と、前記送風機の風量を変更する風量制御部とを備え、前記風量制御部には、前記調理物温度測定手段によって測定した前記調理物温度から前記送風機の風量を決定し、風量が頻繁に変更される場合には変更を抑制する変更抑制手段を設け、前記変更抑制手段は、一定時間内に一定回数、風量が変更された場合に風量を決定するための温度閾値を徐々にあるいは段階的に変更させることを特徴とするレンジフード。
【請求項２】
風量を変更可能な送風機を備え、加熱調理器での調理物温度によって前記送風機の風量を変更するレンジフードであって、前記加熱調理器の上面における前記調理物温度を測定する調理物温度測定手段と、前記送風機の風量を変更する風量制御部とを備え、前記風量制御部には、前記調理物温度測定手段によって測定した前記調理物温度から前記送風機の風量を決定し、風量が頻繁に変更される場合には変更を抑制する変更抑制手段を設け、前記変更抑制手段は、一定時間内に一定回数、風量が変更された場合に風量を決定する調理物温度を徐々にあるいはなしに補正させることを特徴とするレンジフード。
【発明の詳細な説明】
【技術分野】
【０００１】
本発明は、調理物の温度を検知して風量を変更させるレンジフードに関するものである。
【背景技術】
【０００２】
従来、この種のレンジフードは、送風機の風量を変更するレンジフードとして、調理時に発生する油煙や臭いを室外へ排気する排気ファンモーターと、加熱調理機器周辺の遠赤外線を検知する熱起電力型温度センサーと、熱起電力型温度センサーが検出した結果を温度に変換する制御部を備え、制御部が変換した温度を基に加熱調理機器の使用状態を判断して前記排気ファンモーターを駆動もしくは停止するものが提案されている。
【先行技術文献】
【特許文献】
【０００３】
【特許文献１】特開２００９−１２１７５１号公報
【発明の概要】
【発明が解決しようとする課題】
【０００４】
このような従来のレンジフードにおいては、調理物の温度を検知して風量を変更させているが、調理物の温度がわずかに上下するだけでも風量が切り替わり、風量が頻繁に切り替わることで調理者が不快に感じることがあり、それを防止するために、風量が弱から強へ切り替わるときの温度閾値と風量が強から弱へ切り替わるときの温度閾値に一定の温度差（すなわちヒステリシス）を設けることによって風量が頻繁に切り替わることを防止することが可能だった。
【０００５】
しかし、調理時の状況によっては、設定されたヒステリシス以上に調理物の温度が頻繁に変化し、風量が頻繁に切り替わるということがあった（図７参照）。
【０００６】
これを防ぐためにはヒステリシスを非常に大きく設定することが必要であったが、その場合には風量が切替りにくくなり、調理者の感覚に合わなくなるという課題を有していた。
【０００７】
そこで、本発明は、上記従来の課題を解決するものであり、ヒステリシスを大きな値に設定しなくても、風量の変更を抑制し、調理者が不快に感じることをなくすことができるレンジフードを提供することを目的とする。
【課題を解決するための手段】
【０００８】
そして、この目的を達成するために、本発明は、風量を変更可能な送風機を備え、加熱調理器での調理物温度によって前記送風機の風量を変更するレンジフードであって、前記加熱調理器の上面における前記調理物温度を測定する調理物温度測定手段と、前記送風機の風量を変更する風量制御部とを備え、前記風量制御部には、前記調理物温度測定手段によって測定した前記調理物温度から前記送風機の風量を決定し、風量が頻繁に変更される場合には変更を抑制する変更抑制手段を設け、前記変更抑制手段は、一定時間内に一定回数、風量が変更された場合に風量を決定するための温度閾値を変更させることとしたものであり、これにより初期の目的を達成するものである。
【発明の効果】
【０００９】
本発明によれば、風量を変更可能な送風機を備え、加熱調理器での調理物温度によって前記送風機の風量を変更するレンジフードであって、前記加熱調理器の上面における前記調理物温度を測定する調理物温度測定手段と、前記送風機の風量を変更する風量制御部とを備え、前記風量制御部には、前記調理物温度測定手段によって測定した前記調理物温度から前記送風機の風量を決定し、その風量が頻繁に変更される場合には変更を抑制する変更抑制手段を設け、前記変更抑制手段は、一定時間内に一定回数、風量が変更された場合に風量を決定するための温度閾値を変更させるという構成にしたことにより、風量が頻繁に変更される場合には、前記変更抑制手段により風量を決定するための前記温度閾値を変更することで、風量の変更を抑制することとなるので、調理物の温度が頻繁に変動した場合に、ヒステリシスを大きくしなくても、風量が頻繁に変更されず、調理者が不快に感じることをなくすことができる、という効果を得ることができる。
【図面の簡単な説明】
【００１０】
【図１】本発明の実施の形態１のレンジフードの設置状態を示す側面図
【図２】同レンジフードの風量と調理物の温度の関係を示すグラフ
【図３】同レンジフードの風量と調理物の温度の関係を示すグラフ
【図４】同レンジフードの風量と調理物の温度の関係を示すグラフ
【図５】本発明の実施の形態２の風量と調理物の温度の関係を示すグラフ
【図６】同レンジフードの風量と調理物の温度の関係を示すグラフ
【図７】従来の風量と調理物の温度の関係を示すグラフ
【発明を実施するための形態】
【００１１】
本発明のレンジフードは、風量を変更可能な送風機を備え、加熱調理器での調理物温度によって前記送風機の風量を変更するレンジフードであって、前記加熱調理器の上面における前記調理物温度を測定する調理物温度測定手段と、前記送風機の風量を変更する風量制御部とを備え、前記風量制御部には、前記調理物温度測定手段によって測定した前記調理物温度から前記送風機の風量を決定し、風量が頻繁に変更される場合には変更を抑制する変更抑制手段を設け、前記変更抑制手段は、一定時間内に一定回数、風量が変更された場合に風量を決定するための温度閾値を変更させるという構成を有する。これにより、一定時間内に一定回数、風量が変更された場合には、風量の変更を抑制する変更抑制手段より、風量を決定する前記調理物温度の温度閾値を上げたり下げたりして変更させることとなるので、設定されたヒステリシス以上の調理物の温度変化が頻繁に発生しても、風量が頻繁に変更されず調理者が不快に感じることをなくすことができるという効果を奏する。
【００１２】
また、風量を変更可能な送風機を備え、加熱調理器での調理物温度によって前記送風機の風量を変更するレンジフードであって、前記加熱調理器の上面における前記調理物温度を測定する調理物温度測定手段と、前記送風機の風量を変更する風量制御部とを備え、前記風量制御部には、前記調理物温度測定手段によって測定した前記調理物温度から前記送風機の風量を決定し、風量が頻繁に変更される場合には変更を抑制する変更抑制手段を設け、前記変更抑制手段は、一定時間内に一定回数、風量が変更された場合に風量を決定する前記調理物温度を補正させるという構成にしてもよい。これにより、前記調理物温度測定手段によって測定した前記調理物温度を上げたり下げたりして補正させることとなるので、設定されたヒステリシス以上の調理物の温度変化が頻繁に発生しても、風量が頻繁に変更されず調理者が不快に感じることをなくすことができるという効果を奏する。
【００１３】
以下、本発明の実施の形態について図面を参照しながら説明する。
【００１４】
（実施の形態１）
図１に示すように、本実施の形態のレンジフード１は、加熱調理機器２（例えば、ＩＨクッキングヒータあるいはガスコンロ等）の上方つまり天井方向に設置され、風量の変更可能な送風機３（ここでは遠心送風機を記載しているが、風量変更ができる送風機ならなんでもよい）を備え、加熱調理機器２の上面の調理物４と調理物４の温度を検出する調理物温度測定手段５（例えば、非接触式の温度センサー）を調理者側である前方に備えている。そして、調理物温度測定手段５によって測定した調理物４の温度から風量制御部６によって排気される風量を決定する。
【００１５】
風量制御部６では、例えば、図２に示すように、調理物４の温度が上昇していく過程では、調理物４の温度が温度閾値Ａ（例えば１００℃）を超えるまでは風量は弱すなわち排気風量が少ない状態で運転し、調理物４の温度が温度閾値Ａを超えると風量は強すなわち排気風量が多い状態で運転する。
【００１６】
また、調理物４の温度が低下していく過程では、調理物４の温度が温度閾値Ｂ（例えば８０℃）を下回ると、風量は弱となる。
【００１７】
ここで温度閾値Ｂは温度閾値Ａよりも低い温度となっており、一定の温度差すなわちヒステリシスＣ（＝Ａ−Ｂ）（ここでは１００℃−８０℃の２０℃）を設定することによって頻繁な風量変更を防ぐことができる。
【００１８】
ここでヒステリシスＣの値を大きくしすぎると風量が切替りにくくなり、使用者の実感に合わない動作となってしまう。
【００１９】
このような事態を防ぐためには、排気の風量の決定に際して、図３に示すように、風量を弱から強へと変更する調理物４の温度閾値Ａの初期値をＡ１とし、風量を強から弱へと変更する温度閾値の初期値をＢ１とする。
【００２０】
そして、風量が頻繁に変更される場合には風量の変更を抑制する変更抑制手段として、以下の手段を用いる。
【００２１】
一定時間（例えば、図３記載のＴ１）以内に風量が一定回数Ｎ回（図３ではＮ＝６回）変更された場合に風量が弱から強へと切り替わる温度閾値ＡをＡ１からＡ２へと温度を高く変更し、そして、風量が強から弱へと切り替わる温度閾値ＢをＢ１からＢ２へと温度を低く変更させる。
【００２２】
さらに、温度閾値Ａ，Ｂを変更した後も風量が一定時間（Ｔ２、Ｔ３）内に変更されると、風量が弱から強へと切り替わる温度閾値ＡをＡ３、Ａ４へと徐々に温度を高く変更し、風量が強から弱へと切り替わる温度閾値ＢをＢ３、Ｂ４へと徐々に温度を低く変更させる。
【００２３】
これによって、風量の頻繁な変更を抑制することができる。
【００２４】
さらに、調理物４の温度が安定し、頻繁に大きく変化することがなくなった場合、つまり、図４に示すように、調理物４の温度が現在の温度閾値Ａよりも１つ小さな温度閾値を下回る時間（または風量変更が行われない時間）が一定時間ｔを超えた場合には、温度閾値はＡ１、Ｂ１に向けて段階的に戻っていくようにすることで（図４の場合では風量を決定する温度閾値ＡがＡ４となった後に調理物４の温度が温度閾値Ａ３を一定時間ｔＡ４だけ下回り続けたときに温度閾値はＡ３へと変更され、風量を決定する温度閾値ＢがＢ４となった後に調理物４の温度が温度閾値Ｂ３を一定時間ｔＢ４だけ上回り続けたときに温度閾値はＢ３へと変更される）、調理物４の温度が安定している時には、所定の風量切替が出来、調理物４の温度が頻繁に大きく変化している場合でも、頻繁な風量の変更を抑制し、調理者が不快に感じることをなくすことが出来る。
【００２５】
（実施の形態２）
実施の形態２は実施の形態１におけるレンジフード１において、風量制御部６の風量変更抑制手段を変更するものである。
【００２６】
つまり、実施の形態１では風量が頻繁に変更される場合に温度閾値Ａ、Ｂを変更し、変更後の温度閾値Ａ、Ｂと調理物４の温度から風量を決定するのに対して、実施の形態２では風量が頻繁に変更される場合には、調理物温度測定手段５によって測定した調理物４の温度から補正調理物温度Ｆ’を算出し、補正調理物温度Ｆ’と温度閾値Ａ、Ｂ（予め設定している、例えば実施の形態１に記載したようにＡが１００℃、Ｂが８０℃）の値によって風量を決定する。
【００２７】
例えば、図５に示すように、一定時間（例えば、図５記載のＴ１）以内に風量が一定回数Ｎ回（図５ではＮ＝６回）変更された場合に、温度閾値ＡとＢの中間の温度に向けて調理物４の温度を補正する（図５では、１点鎖線から実線へと補正している）という変更抑制手段を用いる。この時の補正方法は、例えば補正目的値Ｄ＝（温度閾値Ａ＋温度閾値Ｂ）÷２と補正率α（αの値は０≦α≦１とする）を設け、補正調理物温度Ｆ’＝調理物４の温度×（１−補正率α）＋補正目的値Ｄ×補正率αという形で補正調理物温度Ｆ’を求める。補正調理物温度Ｆ’を用いた後も風量が一定時間（Ｔ２、Ｔ３）内に変更される場合には、補正率αをα１、α２、α３、α４と徐々に補正率が大きくなる様に変更する。
【００２８】
これによって、風量の頻繁な変更を抑制することができる。
【００２９】
さらに、調理物４の温度が安定し、頻繁に大きく変化することがなくなった場合、つまり、図６に示すように補正調理物温度Ｆ’の値が温度閾値Ａ’と温度閾値Ｂ’の間である状態が一定時間ｔ’を超えた場合には、補正率αをα４、α３、α２、α１、補正なしと変更していき、補正の影響を小さくしていく。同様に、補正調理物温度Ｆ’が温度閾値Ａよりも大きい、または温度閾値Ｂよりも小さい状態が一定時間ｔ’を超えた場合にも補正率αをα４、α３、α２、α１、補正なしと変更していき、補正の影響を小さくしていく。
【００３０】
これにより、調理物４の温度が安定している時には、所定の風量切替が出来、調理物４の温度が頻繁に大きく変化している場合でも、頻繁な風量の変更を抑制し、調理者が不快に感じることをなくすことが出来る。
【産業上の利用可能性】
【００３１】
本発明にかかるレンジフードは、ヒステリシスを大きな値に設定しなくても風量が頻繁に変更されないことを可能とするものであるので、調理者が不快に感じることをなくすこととして有用である。
【符号の説明】
【００３２】
１  レンジフード
２  加熱調理機器
３  送風機
４  調理物
５  調理物温度測定手段
６  風量制御部
【図１】
0006010751.tif 000002
【図２】
0006010751.tif 000003
【図３】
0006010751.tif 000004
【図４】
0006010751.tif 000005
【図５】
0006010751.tif 000006
【図６】
0006010751.tif 000007
【図７】
0006010751.tif 000008